(57)【要約】【課題】  肌に塗布された磁性体配合パック剤を磁力によって肌から吸着除去するパック剤除去器として、吸着したパック剤をより簡単に除去器から除去することができ、また、携帯に適したものを提供する。【解決手段】  パック剤除去器1は、上端部に磁石3が取り付けられた除去器本体2と、磁石3を覆うように除去器本体2に嵌め被せられるキャップ4とを備え、肌に塗布された磁性体配合パック剤Pを磁石3の磁力によってキャップ4の頂壁部41表面に吸着させるものである。キャップ4の頂壁部41と磁石3との距離を任意に変え得るように、キャップ4が除去器本体2に対してスライド自在となされている。【選択図】  図１
2005312497.tif 000002
【特許請求の範囲】
【請求項１】
上端部に磁石(3)が取り付けられている除去器本体(2)と、磁石(3)を覆うように除去器本体(2)に嵌め被せられるキャップ(4)とを備え、肌に塗布された磁性体配合パック剤(P)を磁石(3)の磁力によってキャップ(4)の頂壁部(41)表面に吸着させるパック剤除去器において、
キャップ(4)の頂壁部(41)と磁石(3)との距離を任意に変え得るように、キャップ(4)が除去器本体(2)に対してスライド自在となされていることを特徴とする、パック剤除去器。
【請求項２】
キャップ(4)の周壁部(42)内面およびこれと対向する除去器本体(2)の外周面のうちいずれか一方の面に、少なくとも１つの突起(421)が形成され、同他方の面に、各突起(421)を案内するスライド溝(211)が形成されており、
スライド溝(211)は、その下端に、突起(421)と係合することによってキャップ(4)をその頂壁部(41)表面にパック剤(P)が吸着可能となる位置に保持する第１係止部(212)を有しているとともに、第１係止部(212)よりも上方の少なくとも１つのレベルに、突起(421)と係合することによってキャップ(4)をその頂壁部(41)表面に付着したパック剤(P)が拭き取り可能となる位置に保持する第２係止部(213a)(213b)を有していることを特徴とする、請求項１記載のパック剤除去器。
【発明の詳細な説明】
【技術分野】
【０００１】
本発明は、肌に塗布された磁性体配合パック剤を磁石の磁力によって肌から吸着除去するパック剤除去器に関する。
【背景技術】
【０００２】
本発明者は、塗布したパック剤を肌から除去するのに手間や時間のかからない新規の美容方法として、磁性流体や鉄粉等の磁性体を配合したパック剤を肌に塗布した後、該パック剤を磁石によって肌から吸着除去する方法を先に提案した（下記の特許文献１参照）。この美容方法によれば、磁性体配合パック剤を肌に塗布した後、磁石を肌に近づけるだけで、該パック剤を肌から簡単にかつ短時間で吸着除去することができる。
【０００３】
また、本発明者は、上記の美容方法に用いられるパック剤吸着器として、上端部に磁石が取り付けられている除去器本体と、磁石を覆うように除去器本体の上端部に嵌め被せられるキャップとを備えてなり、肌に塗布された磁性体配合パック剤を磁石の磁力によってキャップの頂壁部表面に吸着させるものを併せて提案している（下記特許文献１の段落番号０００９および図３参照）。
【０００４】
上記のパック剤除去器は、キャップの頂壁部表面にパック剤を吸着させるものであるため、キャップを除去器本体から外せば、その頂壁部表面に付着したパック剤を比較的容易に除去することができる。
【０００５】
しかしながら、上記のパック剤除去器の場合、頂壁部表面にパック剤が吸着された状態のキャップを除去器本体から外す際に、パック剤が手の指や服等に付着するおそれがあった。また、肌に塗布したパック剤を一度に吸着できない場合には、除去器本体からキャップを外してパック剤を拭き取った後、再度キャップを嵌めるといった作業を繰り返し行う必要があり、面倒であった。
【０００６】
また、キャップを除去器本体から完全に外すと、磁力が全く作用しなくなるため、パック剤がキャップの頂壁部表面からしたたり落ちるおそれがあった。
【０００７】
さらに、除去器本体の上端部に取り付けられる磁石としては、例えば３５００ガウス前後の比較的強い磁力を有するものが用いられる。したがって、上記のパック剤除去器をかばん等に入れて携帯した場合、たとえ除去器本体の上端部にキャップを嵌め被せておいたとしても、磁石とキャップの頂壁部との距離は極めて近いものであるため、磁石の磁力が他の携帯品である磁気カード等に作用して影響を及ぼすおそれがあった。
【特許文献１】特開２００３−１９９６２０号公報
【発明の開示】
【０００８】
本発明の目的は、肌に塗布された磁性体配合パック剤を磁力によって肌から吸着除去するパック剤除去器として、吸着したパック剤をより簡単に除去器から取り除くことができ、また、携帯に適したものを提供することにある。
【０００９】
本発明によるパック剤除去器は、上端部に磁石が取り付けられている除去器本体と、磁石を覆うように除去器本体に嵌め被せられるキャップとを備え、肌に塗布された磁性体配合パック剤を磁石の磁力によってキャップの頂壁部表面に吸着させるものにおいて、キャップの頂壁部と磁石との距離を任意に変え得るように、キャップが除去器本体に対してスライド自在となされていることを特徴としている。
【００１０】
上記のパック剤除去器にあっては、キャップを除去器本体に対してスライドさせることにより、キャップの頂壁部と磁石との距離を任意に変えることが可能である。
よって、キャップの頂壁部表面にパック剤を吸着させる際には、キャップをその頂壁部が磁石に当接または近接するような位置までスライドさせて、使用すればよい。
一方、吸着したパック剤をキャップの頂壁部表面から拭き取る際には、キャップを、前記位置から、その頂壁部が磁石から所要距離だけ離れるような位置までスライドさせれば、拭き取りが簡単である。なお、この際のキャップの位置は、頂壁部表面に付着したパック剤の量に応じて適宜調整可能である。即ち、パック剤の付着量が多くなる程、磁石の磁力がより多く作用するため、それに伴ってキャップ頂壁部と磁石との距離が大きくなるようにキャップをスライドさせればよい。また、キャップを、その頂壁部表面に付着したパック剤の拭き取りが可能ではあるが、横向きや下向きにしてもパック剤がしたたり落ちないような位置までスライドさせて使用すれば、拭き取りに際してパック剤の滴下を心配する必要がなく、安心感が増す。
また、パック剤除去器をかばん等に入れて携帯する場合には、キャップをその頂壁部が磁石からできるだけ遠く離れるような位置までスライドさせておけば、磁石の磁力が周囲に作用し難くなるため、他の携帯品である磁気カード等に影響を及ぼすおそれがない。
したがって、本発明のパック剤除去器によれば、キャップを適宜スライドさせるだけで、パック剤の吸着および吸着したパック剤の除去を簡単かつスムーズに行うことができ、使い勝手がよい。また、本発明のパック剤除去器によれば、磁気カード等への影響を気にすることなく、気軽に携帯することができる。
【００１１】
本発明によるパック剤除去器において、キャップの周壁部内面およびこれと対向する除去器本体の外周面のうちいずれか一方の面に、少なくとも１つの突起が形成され、同他方の面に、各突起を案内するスライド溝が形成されており、スライド溝は、その下端に、突起と係合してキャップをその頂壁部表面にパック剤が吸着可能となる位置に保持する第１係止部を有しているとともに、第１係止部よりも上方の少なくとも１つのレベルに、突起と係合してキャップをその頂壁部に付着したパック剤が拭き取り可能となる位置に保持する第２係止部を有しているのが好ましい。
【００１２】
上記の構成によれば、キャップを、突起が第１係止部と係合する位置までスライドさせることにより、その頂壁部表面にパック剤が吸着可能となる状態に保持することができ、また、突起が第２係止部と係合する位置までスライドさせることにより、頂壁部に付着したパック剤が拭き取り可能となるような状態に保持することができる。したがって、パック剤の吸着の際およびパック剤の拭き取りの際にキャップを手で保持しておく必要がなく、使い勝手が良い。
【００１３】
上記の場合、キャップの周壁部内面およびこれと対向する除去器本体の外周面がそれぞれ円形の断面を有し、スライド溝における第１係止部とこれに最も近い第２係止部との間の部分は、キャップを除去器本体に対して所要方向に回動させることによって、突起が前記係止部どうしの間を移動するように、斜め方向に伸びているのがより好ましい。
このように、キャップを所要方向に回動させることによって、突起を第１係止部とこれに最も近い第２係止部との間で移動させることができれば、キャップのスライド操作が容易となる。特に、キャップを、その頂壁部表面にパック剤を吸着させた状態から、パック剤の拭き取りが可能となる状態に移行させる際には、スライド操作が複雑であると、パック剤が手の指等に付いたりするおそれがあるが、上記のようにキャップの回動操作だけで移行可能であれば、そのような心配がない。
【００１４】
上記において、第２係止部は、少なくとも１つあればよいが、キャップの頂壁部と磁石との距離が段階的に大きくなるような複数のレベルで突起と係合するように複数個形成されていれば、頂壁部表面に付着したパック剤の量に応じて、拭き取り作業をより簡単にかつ安心して行い得るキャップの位置を、適宜に選択することができる。
【００１５】
また、上記の場合、突起がいずれの係止部と係合しているか、換言すれば、キャップがいずれのスライド位置にあるかを使用者が把握し易いように、キャップの周壁部外面に、少なくとも１つの第１表示部を形成しておくとともに、除去器本体の外周面に、突起が各係止部と係合しているときに各第１表示部と隣接する第２表示部を形成しておくのが好ましい。
【００１６】
スライド溝の下端に形成される係止部は、例えば、該溝の下端壁と、これから若干離れたスライド溝の底壁部分に形成された凸部とによって形成することができる。また、スライド溝の長さ中間部に形成される係止部は、例えば、該長さ中間部に形成されたスライド溝分岐部の端面と、これから若干離れたスライド溝分岐部の底壁部分に形成された凸部とによって形成することができる。各凸部は、スライド溝またはスライド溝分岐部の深さよりも低くなされている。
上記構成によれば、突起を所要の係止部に係合させる際および該係止部から外す際に、突起がスライド溝の前記凸部を乗り越えることによってクリック感が得られ、それによって、キャップのスライド位置をより明確に認識することができる。
【００１７】
また、本発明によるパック剤除去器において、除去器本体が、上端部に磁石取付部を有する円筒部と、円筒部の下端部から径方向外方に突出するように形成されかつ手の平が円筒部の上端側を向くように片手で握り得る把持部とを備えている場合がある。
【００１８】
上記の場合、把持部を片手で握れば、その手の平が円筒部の上端側、即ち、キャップの頂壁部側を向くようになるので、肌に塗布されたパック剤をキャップの頂壁部表面に吸着させる際に、その作業がやり易くなる。また、上記の場合、除去器全体の長さを比較的短くすることができるので、携帯にも便利である。
【発明を実施するための最良の形態】
【００１９】
次に、図１〜図７を参照して、本発明の実施形態を以下に説明する。
【００２０】
図１〜図３に示すように、本発明によるパック剤除去器(1)は、上端部に磁石(3)が取り付けられている除去器本体(2)と、磁石(3)を覆うように除去器本体(2)に嵌め被せられるキャップ(4)とを備えている。
【００２１】
除去器本体(2)およびキャップ(4)は、例えば、アクリル樹脂やＡＢＳ樹脂等の合成樹脂によって、それぞれ一体に成形される。
【００２２】
除去器本体(2)は、上端部に磁石取付部(210)を有する円筒部(21)と、円筒部(21)の下端部から径方向外方に突出するように形成された把持部(22)とを備えている。
【００２３】
円筒部(21)には、その内周面の上端寄りに水平な環状段差が形成されており、該段差よりも上方部分が磁石取付部(210)となされている。図２に示すように、円筒部(21)の下端開口は、底壁部(23)によって閉鎖されている。
【００２４】
把持部(22)は、下端に向かうにつれて次第に外径が大きくなるスカート状のものであって、その外周部には、指の先端部が嵌まり得る大きさを有する複数の弧状凹部(221)が、周方向に等間隔おきに形成されている。この把持部(22)は、手の平が円筒部(21)の上端側を向くように片手で握ることができるようになっている（図７参照）。
【００２５】
磁石(3)は、円板状に形成され、かつ表面において約１８００〜４０００ガウス（好ましくは約２３００〜３８００ガウスで、標準的には約３５００ガウス）程度の磁力を有するフェライト磁石等の永久磁石よりなる。この磁石(3)は、除去器本体(2)の磁石取付部(210)に上方から嵌め込まれて、接着剤等により固定されている。図２に示すように、磁石(3)の裏側には、円板状のヨーク(5)が配されている。
【００２６】
キャップ(4)は、円形の頂壁部(41)と、頂壁部(41)の周縁から下方に伸びる周壁部(42)とを備えている。頂壁部(41)の表面は、肌に塗布された磁性体配合パック剤(P)を磁石(3)の磁力によって吸着させるためのパック剤吸着面となされる。周壁部(42)は、円筒部(21)の外径よりも若干大きい内径を有し、円筒部(21)の高さのほぼ半分の高さを有している。周壁部(42)の内面には、垂直方向に伸びかつ横断面凸弧状の複数の間隔保持用凸条部(422)が周方向に等間隔おきに形成されている。以上の構成により、キャップ(4)は、除去器本体(2)に対して、ほぼ周壁部(42)の長さ分だけ、上下方向にスライド自在となされる。
【００２７】
キャップ(4)の周壁部(42)内面には、その下端部における直径方向対称位置に、計２つの突起(421)が形成されている。
【００２８】
一方、キャップ(4)の周壁部(42)内面と対向する除去器本体(2)の円筒部(21)の上部外面には、前記２つの突起(421)をそれぞれ案内する２つのスライド溝(211)が形成されている。図３に示すように、スライド溝は(211)、円筒部(21)の上部外面の最下レベルから同図の右方に向かって斜め上方に伸びる傾斜溝部(211a)と、傾斜溝部(211a)の上端から図３の右方に向かって短く伸びる下部水平溝部（分岐部）(211b)と、傾斜溝部(211a)の上端から上方に短く伸びる下部垂直溝部(211c)と、下部垂直溝部(211c)の上端から図３の左右両方向に向かって短く伸びる上部水平溝部（分岐部）(211d)と、上部水平溝部(211d)における図３の左端から円筒部(21)上端に向かって短く伸びる上部垂直溝部(211e)とを有している。上部垂直溝部(211e)の上端は上方に開放している。
【００２９】
各スライド溝(211)の下端、即ち、傾斜溝部(211a)の下端に、第１係止部(212)が形成されている。この第１係止部(212)は、突起(421)と係合することによって、キャップ(4)をその頂壁部(41)表面にパック剤(P)が吸着可能となる位置に保持するものである。第１係止部(212)は、傾斜溝部(211a)の下端壁と、これから斜め上方に若干離れた傾斜溝部(211a)の底壁部分に形成された凸部(215)とによって形成されている。凸部(215)は、傾斜溝部(211a)の深さよりも低くなされている。
突起(421)が第１係止部(212)と係合した状態では、図２に示すように、キャップ(4)の頂壁部(41)が磁石(3)の表面に当接（または近接）しており、それによって磁石(3)から出る磁力がキャップ(4)の頂壁部(41)表面に最も作用しやすくなる。
【００３０】
また、各スライド溝(211)における第１係止部(212)よりも上方の２つのレベルに、第２係止部(213a)(213b)が形成されている。これらの第２係止部(213a)(213b)は、突起(421)と係合することによって、キャップ(4)をその頂壁部(41)表面に付着したパック剤(P)が拭き取り可能となる位置に保持するものである。下側の第２係止部(213a)は、下部水平溝部(211b)における図２の右側の端壁と、これから左方に若干離れた底壁部分に形成された凸部(215)とによって形成されている。上側の第２係止部(213b)は、上部水平溝部(211d)における図２の右側の端壁と、これから左方に若干離れた底壁部分に形成された凸部(215)とによって形成されている。これらの凸部(215)は、各水平溝部(211b)(211d)の深さよりも低くなされている。
突起(421)が下側の第２係止部(213a)と係合した状態では、図４に示すように、キャップ(4)の頂壁部(41)が磁石(3)の表面と距離(X1)だけ離れており、それによって、キャップ(4)の頂壁部(41)表面に作用する磁石の磁力が弱くなる。
また、突起(421)が上側の第２係止部(213b)と係合した状態では、図５および図６に示すように、キャップ(4)の頂壁部(41)と磁石(3)の表面との距離(X2)が、図４に示す状態の同距離(X1)よりも大きくなっており、それによって、キャップ(4)の頂壁部(41)表面に作用する磁石(3)の磁力がさらに弱くなる。
【００３１】
キャップ(4)の周壁部(42)外面に、計２つの第１表示部(424)が形成されている。一方、除去器本体(2)の円筒部(21)外周面に、突起(421)が各係止部(212)(213a)(213b)と係合しているときに各第１表示部(424)と上下に隣接する計６つの第２表示部(217)が形成されている。第１表示部(424)は、キャップ(4)の周壁部(42)外面における下縁部分の直径方向対称位置にそれぞれ形成された縦長方形状の凸部によって構成されている。第２表示部(217)は、除去器本体(2)の円筒部(21)外周面における各係止部(212)(213a)(213b)の下側部分に形成された円形状の凹部によって構成されている。使用者は、第１表示部(424)がいずれの第２表示部(217)と隣接しているのかを確認することによって、突起(421)がどの係止部(212)(213a)(213b)と係合しているか、換言すれば、キャップ(4)がいずれのスライド位置にあるかを容易に知ることができる。
【００３２】
磁性体配合パック剤(P)としては、例えば、シリコン等によりコーティングされた鉄粉（磁性体）を約５５〜８０重量％配合し、残部が、基剤、凝固剤、乳化剤、ｐＨ調整剤や、保湿剤、皮膚保護剤、抗酸化剤、紫外線吸収剤、およびその他の各種美肌成分よりなるものが用いられる。上記において、鉄粉以外の成分は、通常のパック剤配合成分のうち非水性を示すものの中から適宜に選択して用いられる。
【００３３】
上記のパック剤除去器(1)は、例えば次のようにして使用される。即ち、まず、肌に塗布された磁性体配合パック剤(P)を肌から吸着除去する場合には、図１および図２に示すように、突起(421)が第１係止部(212)と係合する位置までキャップ(4)をスライドさせておいてから、図７に示すように、把持部(22)を片手で持って、キャップ(4)の頂壁部(41)を肌に近づける。そうすると、肌に塗布された磁性体配合パック剤(P)が、磁石(3)の磁力によって、キャップ(4)の頂壁部(41)表面に吸着される。
【００３４】
キャップ(4)の頂壁部(41)表面にある程度の量のパック剤(P)が付着するとこれを拭き取る必要があるが、この場合、図４に示すように、突起(421)が下側の第２係止部(213a)と係合する位置までキャップ(4)をスライドさせる。この際、第１係止部(212)と下側第２係止部(213a)との間を結んでいるスライド溝（211）が主として傾斜溝部(211a)によって構成されているので、突起(421)を下側第２係止部(213a)まで移動させるには、把持部(22)を持っていない方の手でキャップ(4)の周壁部(42)を持って、該キャップ(4)を所定方向に回動させるだけでよい。したがって、移行作業が簡単であり、手の指や服等にパック剤(P)が付着する心配がない。また、突起(421)が下側第２係止部(213a)と係合する際、該突起(421)が凸部(215)を乗り越えることによってクリック感が得られ、しかも、第１表示部(424)が下側第２係止部(213a)の下方の下側第２表示部(217)と隣接するので、これらによって、使用者は、突起(421)が下側第２係止部(213a)と係合したことを確認することができる。キャップ(4)を上記位置までスライドさせることにより、キャップ(4)の頂壁部(41)が磁石(3)の表面と距離(X1)だけ離れ、作用する磁力が弱くなるので、パック剤(P)をキャップ(4)の頂壁部(41)表面から容易に拭き取ることができる。また、この位置では、パック剤除去器(1)を横向きや下向きにしてもパック剤(P)がしたたり落ちない程度の弱い磁力が作用するため、安心して拭き取り作業を行うことができる。
【００３５】
また、キャップ(4)の頂壁部(41)表面に吸着させたパック剤(P)の量が多い場合、キャップ(4)が図４に示す位置にあったままでは、やや拭き取りが困難なことがある。この場合には、図５に示すように、突起(421)が上側の第２係止部(213b)と係合する位置までキャップ(4)をスライドさせる。この際、キャップ(4)を上方に引き上げながら所定方向に回動させると、突起(421)が、下側第２係止部(213a)から外れ、下部水平溝部(211b)および下部垂直溝部(211c)を経て、上部水平溝部(211d)に達する。次いで、キャップ(4)を前記と逆方向に回動させると、突起(421)が上側の第２係止部(213b)と係合する。突起(421)が上側第２係止部(213b)と係合する際、該突起(421)が凸部(215)を乗り越えることによってクリック感が得られ、また、第１表示部(424)が上側第２係止部(213b)の下方の上側第２表示部(217)と隣接するので、これらによって、使用者は、突起(421)が上側第２係止部(213b)と係合したことを確認することができる。キャップ(4)を上記位置までスライドさせることにより、キャップ(4)の頂壁部(41)と磁石(3)の表面との間の距離(X2)が、図４の場合の同距離(X1)よりも大きくなって、作用する磁力が更に弱くなるので、比較的大量に付着したパック剤(P)をキャップ(4)の頂壁部(41)表面から容易に拭き取ることができる。
【００３６】
上記のパック剤除去器(1)によって引き続きパック剤(P)の吸着を行う場合には、上記と逆の操作により、キャップ(4)を図１および図２に示す位置までスライドさせる。
【００３７】
なお、上記のパック剤除去器(1)は、磁気マッサージ器として使用することも可能である。即ち、図１および図２に示すように、突起(421)が第１係止部(212)と係合する位置までキャップ(4)をスライドさせておいてから、除去器本体(2)の把持部(22)を片手で持ち、キャップ(4)の頂壁部(41)表面で肌をパッティングする。これによって、磁石(3)の磁気作用による優れた美肌効果が得られる。
【００３８】
キャップ(4)を除去器本体(2)から完全に取り外して、水洗い等を行いたい場合には、例えば、次のようにすればよい。即ち、キャップ(4)を図５および図６に示す状態から上方に持ち上げつつ所定方向に回動させると、突起(421)が、上側第２係止部(213b)から外れて、上部水平溝部(211d)および上部垂直溝部(211e)を経て、スライド溝(211)から抜けるので、それによって、図３に示すように、キャップ(4)が除去器本体(2)から分離される。
【００３９】
上記のパック剤除去器(1)をかばん等に入れて携帯する場合、図４に示す状態または図５および図６に示す状態（好ましくは図５および図６に示す状態）となるように、キャップ(4)をスライドさせておく。こうすることによって、キャップ(4)の頂壁部(41)と磁石(3)の表面との間の距離が大きくなるので、かばん等に入っている磁気カード等の他の携帯品が磁石(3)の磁力によって影響を受けにくくなる。
【００４０】
上記の実施形態はあくまでも例示にすぎず、特許請求の範囲に記載した本発明の要旨を逸脱しない範囲で適宜に変更を加えた上で本発明を実施することも勿論可能である。
【図面の簡単な説明】
【００４１】
【図１】本発明の実施形態を示すものであって、キャップの頂壁部表面に磁性体配合パック剤を吸着させるために、突起が第１係止部に係合する位置までキャップをスライドさせた状態のパック剤除去器の斜視図である。
【図２】図１のII−II線に沿うパック剤除去器の垂直縦断面図である。
【図３】パック剤除去器のキャップと除去器本体とを分離した状態を示す一部切り欠き正面図である。
【図４】キャップの頂壁部表面に付着した磁性体配合パック剤を拭き取るために、突起が下側第２係止部に係合する位置までキャップをスライドさせた状態のパック剤除去器の正面図である。
【図５】キャップの頂壁部表面に付着した磁性体配合パック剤を拭き取るために、突起が上側第２係止部に係合する位置までキャップをスライドさせた状態のパック剤除去器の正面図である。
【図６】図５のVI−VI線に沿うパック剤除去器の垂直縦断面図である。
【図７】本発明によるパック剤除去器を用いて、肌に塗布した磁性体配合パック剤を吸着除去する状態を示す正面図である。
【符号の説明】
【００４２】
(1)：パック剤除去器
(2)：除去器本体
(21)：円筒部
(211)：スライド溝
(212)：第１係止部
(213a)(213b)：第２係止部
(22)：把持部
(3)：磁石
(4)：キャップ
(41)：頂壁部
(42)：周壁部
(421)：突起
(P)：磁性体配合パック剤
【図１】
2005312497.tif 000003
【図２】
2005312497.tif 000004
【図３】
2005312497.tif 000005
【図４】
2005312497.tif 000006
【図５】
2005312497.tif 000007
【図６】
2005312497.tif 000008
【図７】
2005312497.tif 000009